【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
複数種類の抽選結果の中からいずれかの抽選結果を導出する大役抽選が実行され、該大役抽選で導出された該抽選結果に基づいて、１または複数の演出パートで構成される変動演出の実行態様が決定される遊技機であって、
予め設定された始動条件の成立により、前記大役抽選を実行する抽選手段と、
前記大役抽選で導出された抽選結果に基づいて変動情報を決定する変動情報決定手段と、
前記変動情報決定手段によって決定された前記変動情報に基づいて、前記演出パートに対応する演出の実行パターンを決定して前記変動演出の実行態様を決定する演出決定手段と、
前記演出決定手段の決定にしたがって前記変動演出を実行制御する演出実行手段と、
を備え、
前記演出パートには、発展前演出パートと発展演出パートとが含まれており、
前記発展演出パートで実行される演出には、内容を異にする複数種類の実行パターンが設けられた発展演出が含まれ、該発展演出の複数種類の実行パターンは、それぞれ大当たり結果に対応する大当たりパターンおよびハズレ結果に対応するハズレパターンの少なくとも２つを有し、
前記発展前演出パートで実行される演出には、複数種類の実行パターンが設けられ、該実行パターンにより、前記発展演出パートで実行される前記発展演出の実行パターン、もしくは、前記抽選結果を示唆または報知する予告演出が含まれ、
前記変動演出の実行態様には、前記変動情報決定手段によって決定された前記変動情報が予め設定された特定変動情報であった場合に実行され、前記演出パートとして前記発展前演出パートおよび前記発展演出パートが設けられるとともに、該発展演出パートが前半発展演出パートおよび後半発展演出パートに区分けされた特定実行態様が含まれ、
前記特定実行態様の変動演出では、前記発展前演出パートにおいて１または複数の実行パターンで前記予告演出が実行された後、前記前半発展演出パートにおいてハズレパターンの発展演出が実行され、前記後半発展演出パートにおいて該前半発展演出パートとは異なる実行パターンの発展演出が実行され、
前記演出決定手段は、
前記変動情報決定手段によって前記特定変動情報が決定された場合、前記発展前演出パート、前記前半発展演出パートおよび前記後半発展演出パートそれぞれにおいて実行する演出の実行パターンを決定し、
前記発展前演出パートにおいて実行を決定した１の予告演出の実行パターン、もしくは、複数の予告演出の実行パターンの組み合わせが、予め設定された差替え条件を満たす場合、前記前半発展演出パートで実行する演出として、ハズレパターンの前記発展演出の代わりに、予め設定された特殊演出の実行を所定の確率で決定し、前記変動演出の実行態様を前記特定実行態様から特殊実行態様に変更することを特徴とする遊技機。
【請求項２】
前記発展演出の各実行パターンにおいて、前記大当たりパターンと前記ハズレパターンとは、演出の開始から所定の分岐時期までは同一の内容であり、該分岐時期以降の内容が互いに異なることを特徴とする請求項１に記載の遊技機。
【請求項３】
前記発展演出パートにおける前記大当たりパターンおよび前記ハズレパターンそれぞれの実行確率により、前記発展演出の実行パターン毎に大当たりの信頼度が設定され、
前記予告演出は、前記大当たりの信頼度を示唆または報知する演出であり、
前記演出決定手段は、
前記発展前演出パートにおいて実行する予告演出に、大当たりの信頼度が所定値以上である高信頼度の実行パターンが含まれている場合には、該高信頼度の実行パターンが含まれていない場合よりも、前記特殊演出の実行を高確率で決定することを特徴とする請求項１または２に記載の遊技機。
【請求項４】
前記発展演出パートにおける前記大当たりパターンおよび前記ハズレパターンそれぞれの実行確率により、前記発展演出の実行パターン毎に大当たりの信頼度が設定され、
前記予告演出は、前記大当たりの信頼度を示唆または報知する演出であり、
前記演出決定手段は、
前記発展前演出パートにおいて実行する予告演出に、大当たりの信頼度が予め設定された特定値未満である低信頼度の実行パターンのみが含まれている場合には、該低信頼度の実行パターン以外の実行パターンが含まれている場合よりも、前記特殊演出の実行を高確率で決定することを特徴とする請求項１〜３のいずれか１項に記載の遊技機。
【手続補正２】
【補正対象書類名】明細書
【補正対象項目名】０００９
【補正方法】変更
【補正の内容】
【０００９】
上記課題を解決するために、本発明の遊技機は、複数種類の抽選結果の中からいずれかの抽選結果を導出する大役抽選が実行され、該大役抽選で導出された該抽選結果に基づいて、１または複数の演出パートで構成される変動演出の実行態様が決定される遊技機であって、予め設定された始動条件の成立により、前記大役抽選を実行する抽選手段と、前記大役抽選で導出された抽選結果に基づいて変動情報を決定する変動情報決定手段と、前記変動情報決定手段によって決定された前記変動情報に基づいて、前記演出パートに対応する演出の実行パターンを決定して前記変動演出の実行態様を決定する演出決定手段と、前記演出決定手段の決定にしたがって前記変動演出を実行制御する演出実行手段と、を備え、前記演出パートには、発展前演出パートと発展演出パートとが含まれており、前記発展演出パートで実行される演出には、内容を異にする複数種類の実行パターンが設けられた発展演出が含まれ、該発展演出の複数種類の実行パターンは、それぞれ大当たり結果に対応する大当たりパターンおよびハズレ結果に対応するハズレパターンの少なくとも２つを有し、前記発展前演出パートで実行される演出には、複数種類の実行パターンが設けられ、該実行パターンにより、前記発展演出パートで実行される前記発展演出の実行パターン、もしくは、前記抽選結果を示唆または報知する予告演出が含まれ、前記変動演出の実行態様には、前記変動情報決定手段によって決定された前記変動情報が予め設定された特定変動情報であった場合に実行され、前記演出パートとして前記発展前演出パートおよび前記発展演出パートが設けられるとともに、該発展演出パートが前半発展演出パートおよび後半発展演出パートに区分けされた特定実行態様が含まれ、前記特定実行態様の変動演出では、前記発展前演出パートにおいて１または複数の実行パターンで前記予告演出が実行された後、前記前半発展演出パートにおいてハズレパターンの発展演出が実行され、前記後半発展演出パートにおいて該前半発展演出パートとは異なる実行パターンの発展演出が実行され、前記演出決定手段は、前記変動情報決定手段によって前記特定変動情報が決定された場合、前記発展前演出パート、前記前半発展演出パートおよび前記後半発展演出パートそれぞれにおいて実行する演出の実行パターンを決定し、前記発展前演出パートにおいて実行を決定した１の予告演出の実行パターン、もしくは、複数の予告演出の実行パターンの組み合わせが、予め設定された差替え条件を満たす場合、前記前半発展演出パートで実行する演出として、ハズレパターンの前記発展演出の代わりに、予め設定された特殊演出の実行を所定の確率で決定し、前記変動演出の実行態様を前記特定実行態様から特殊実行態様に変更することを特徴とする。
【手続補正３】
【補正対象書類名】明細書
【補正対象項目名】００１１
【補正方法】変更
【補正の内容】
【００１１】
また、前記発展演出パートにおける前記大当たりパターンおよび前記ハズレパターンそれぞれの実行確率により、前記発展演出の実行パターン毎に大当たりの信頼度が設定され、前記予告演出は、前記大当たりの信頼度を示唆または報知する演出であり、前記演出決定手段は、前記発展前演出パートにおいて実行する予告演出に、大当たりの信頼度が所定値以上である高信頼度の実行パターンが含まれている場合には、該高信頼度の実行パターンが含まれていない場合よりも、前記特殊演出の実行を高確率で決定するとしてもよい。
【手続補正４】
【補正対象書類名】明細書
【補正対象項目名】００１２
【補正方法】変更
【補正の内容】
【００１２】
また、前記発展演出パートにおける前記大当たりパターンおよび前記ハズレパターンそれぞれの実行確率により、前記発展演出の実行パターン毎に大当たりの信頼度が設定され、前記予告演出は、前記大当たりの信頼度を示唆または報知する演出であり、前記演出決定手段は、前記発展前演出パートにおいて実行する予告演出に、大当たりの信頼度が予め設定された特定値未満である低信頼度の実行パターンのみが含まれている場合には、該低信頼度の実行パターン以外の実行パターンが含まれている場合よりも、前記特殊演出の実行を高確率で決定するとしてもよい。